(57)【要約】【課題】  ＰＴＴコール設定の遅延をかなり短縮する。【解決手段】  ＩＳ−２０００再接続メッセージおよびＩＳ−２０００発呼メッセージのようなチャネル割当て要求メッセージング（４００）の修正についても説明する。さらに、共通制御チャネル信号方式（例えば、２０１）の使用、ページ・レスポンス・メッセージング（例えば、３０１）への変更、およびＡ９ショート・データ配信メッセージング（例えば、２０３および３０３）の新しい使用についても説明する。これらのプロトコルの変更の中のいくつかまたはすべてを内蔵する実施形態は、ＩＳ−２０００システム内に現在存在するようなＰＴＴのエンドツーエンド・コール設定時間を短縮することができる。【選択図】  図２
2005176359.tif 000002
【特許請求の範囲】
【請求項１】
プッシュ・ツウ・トーク（ＰＴＴ）コール設定の遅延を短縮するための方法であって、
発呼者ユニットにより、ユーザのＰＴＴ要求表示を検出するステップと、
前記発呼者ユニットにより、ＣＤＭＡ共通制御チャネルを介して、基地局（ＢＳ）にＰＴＴ接続要求情報を送信するステップと、
前記発呼者ユニットにより、前記ＣＤＭＡ共通制御チャネルを介して、前記ＢＳにチャネル割当て要求を送信するステップと、
前記発呼者ユニットにより、前記ＰＴＴ接続要求情報に対応するＰＴＴ接続受諾情報の表示を受信するステップとを備える方法。
【請求項２】
前記ＰＴＴ接続要求情報は、発呼者ユニット情報、ＰＴＴサーバ情報、呼タイプ情報およびＰＴＴ目標情報からなるグループから選択された情報を含む、請求項１に記載の方法。
【請求項３】
前記チャネル割当て要求は、ＩＳ−２０００発呼メッセージおよびＩＳ−２０００再接続メッセージからなるグループから選択されたメッセージを含む、請求項１に記載の方法。
【請求項４】
プッシュ・ツウ・トーク（ＰＴＴ）コール設定の遅延を短縮するための方法であって、
基地局（ＢＳ）により、リモート・ユニットから、ＣＤＭＡ共通制御チャネルを介して、ＰＴＴ接続情報を受信するステップと、
前記ＢＳにより、パケット制御機能（ＰＣＦ）に、前記ＰＣＦとの対応するＡ９／Ａ８確立の前に、Ａ９ショート・データ配信メッセージにより、前記ＰＴＴ接続情報を送信するステップと、
前記ＢＳにより、前記リモート・ユニットに、前記リモート・ユニットの能動パケット・データ・セッションをサポートするためにトラヒック・チャネルを割り当てるステップとを備える方法。
【請求項５】
前記リモート・ユニットが発呼者ユニットを備え、前記ＰＴＴ接続情報が、ＰＴＴ接続要求情報を含み、前記方法が、
前記ＢＳにより、前記発呼者ユニットから、前記ＣＤＭＡ共通制御チャネルを介してチャネル割当て要求を受信するステップをさらに備える、請求項４に記載の方法。
【請求項６】
プッシュ・ツウ・トーク（ＰＴＴ）コール設定の遅延を短縮するための方法であって、
目標ユニットにより、基地局（ＢＳ）から、データ接続が要求されていることを示すページ・メッセージを受信するステップと、
前記目標ユニットにより、前記ページ・メッセージに応じて、前記ＢＳへ、ＣＤＭＡ共通制御チャネルを介してＰＴＴ接続受諾情報を送信するステップと、
前記目標ユニットにより、前記ＢＳから前記ＰＴＴ接続受諾情報を送信した後で、チャネル割当てメッセージングを受信するステップと、
前記目標ユニットにより、前記ＢＳからＰＴＴ発呼者情報を受信するステップとを備える方法。
【請求項７】
前記目標ユニットにより、前記ページ・メッセージに応じて、前記ＢＳにＩＳ−２０００発呼メッセージおよびＩＳ−２０００再接続メッセージからなるグループから応答メッセージを送信するステップをさらに備える、請求項６に記載の方法。
【請求項８】
移動局（ＭＳ）であって、
トランシーバと、
前記トランシーバに通信により結合しているプロセッサとを備え、前記プロセッサが、
ユーザのＰＴＴ要求表示を検出することに適合し、
基地局（ＢＳ）に、トランシーバを介して、ＣＤＭＡ共通制御チャネルによりＰＴＴ接続要求情報を送信することに適合し、
前記ＢＳに、前記トランシーバを介して、前記ＣＤＭＡ共通制御チャネルによりチャネル割当て要求を送信することに適合し、
前記ＢＳから、前記トランシーバを介して、前記ＰＴＴ接続要求情報に対応するＰＴＴ接続受諾の表示を受信することに適合する移動局（ＭＳ）。
【請求項９】
基地局（ＢＳ）であって、
トランシーバと、
前記トランシーバに通信により結合しているコントローラとを備え、前記コントローラが、
リモート・ユニットから前記トランシーバを介して、ＣＤＭＡ共通制御チャネルによりＰＴＴ接続情報を受信することに適合し、
パケット制御機能（ＰＣＦ）に、前記ＰＣＦとの対応するＡ９／Ａ８確立の前に、Ａ９ショート・データ配信メッセージにより、前記ＰＴＴ接続情報を送信することに適合し、
前記リモート・ユニットに、前記リモート・ユニットの能動パケット・データ・セッションをサポートするためにトラヒック・チャネルを割り当てることに適合する基地局。
【請求項１０】
移動局（ＭＳ）であって、
トランシーバと、
前記トランシーバに通信により結合しているプロセッサとを備え、前記プロセッサが、
基地局（ＢＳ）から、前記トランシーバを介して、データ接続が要求されていることを示すページ・メッセージを受信することに適合し、
前記ＢＳに、前記ページ・メッセージに応じて、前記トランシーバを介して、ＣＤＭＡ共通制御チャネルによりＰＴＴ接続受諾情報を送信することに適合し、
前記ＢＳから、前記トランシーバを介して、前記ＰＴＴ接続受諾情報を送信した後で、チャネル割当てメッセージングを受信することに適合し、
前記ＢＳから、前記トランシーバを介して、ＰＴＴ発呼者情報を受信することに適合する、移動局（ＭＳ）。
【発明の詳細な説明】
【技術分野】
【０００１】
本発明は、移動通信システム一般に関し、より詳細にはプッシュ・ツウ・トーク（ＰＴＴ）サービス・コール設定に関連する遅延の短縮に関する。
【背景技術】
【０００２】
ＩＳ−２０００適合システムなどの符号分割多元接続（ＣＤＭＡ）システムにおいて、プッシュ・ツウ・トーク（ＰＴＴ）コールを提供するために現在使用されている方法のうちの１つは、最初にパケット・データ接続を確立し、次にこのデータ接続を通してＰＴＴコール制御情報を送信する方法である。
（関連出願への参照）
本出願は、共通所有のその全文を参照により本明細書に組み込むものとする、２００３年１２月５日付けの「ＰＴＴコール設定の遅延を短縮するための方法および装置」（ＭＥＴＨＯＤ  ＡＮＤ  ＡＰＰＡＲＡＴＵＳ  ＲＥＤＵＣＴＩＮＧ  ＰＴＴ  ＣＡＬＬ  ＳＥＴＵＰ  ＤＥＬＡＹＳ）という名称の仮出願番号第６０／５２７６０３号の優先権を主張する。
【０００３】
上記出願は、本出願の譲受人に譲渡される、２００１年６月２２日付けの「ＣＤＭＡ移動通信システムでのディスパッチ・コール発信および設定」（ＤＩＳＰＡＴＣＨ  ＣＡＬＬ  ＯＲＩＧＩＮＡＴＩＯＮ  ＡＮＤ  ＳＥＴ  ＵＰ  ＩＮ  Ａ  ＣＤＭＡ  ＭＯＢＩＬＥ  ＣＯＭＭＵＮＩＣＡＴＩＯＮ  ＳＹＳＴＥＭ）という名称の同時係属出願番号第０９／８８７１７２号に関する。
【０００４】
本出願は、本出願の譲受人に譲渡される、２００２年５月６日付けの「ＣＤＭＡサービスを提供するための干渉効率的方法および装置」（ＩＮＴＥＲＦＥＲＥＮＣＥ−ＥＦＦＩＣＩＥＮＴ  ＭＥＴＨＯＤ  ＡＮＤ  ＡＰＰＡＲＡＴＵＳ  ＴＯ  ＰＲＯＶＩＤＥ  ＣＤＭＡ  ＳＥＲＶＩＣＥＳ）という名称の同時係属出願番号第１０／１３９８６７号に関する。
【０００５】
本出願は、本出願の譲受人に譲渡される、２００２年３月２８日付けの「遅延を短縮した無線データ転送のための方法および装置」（ＭＥＴＨＯＤ  ＡＮＤ  ＡＰＰＡＲＡＴＵＳ  ＦＯＲ  ＷＩＲＥＬＥＳＳ  ＤＡＴＡ  ＴＲＡＮＳＦＥＲ  ＷＩＴＨ  ＲＥＤＵＣＥＤ  ＤＥＬＡＹ）という名称の同時係属出願番号第１０／１０８４０５号に関する。
【０００６】
本出願は、本出願の譲受人に譲渡される、２００２年３月２８日付けの「無線データ転送の遅延を短縮するための方法および装置」（ＭＥＴＨＯＤ  ＡＮＤ  ＡＰＰＡＲＡＴＵＳ  ＴＯ  ＲＥＤＵＣＥ  ＷＩＲＥＬＥＳＳ  ＤＡＴＡ  ＴＲＡＮＳＦＥＲ  ＤＥＬＡＹ）という名称の同時係属出願番号第１０／１０８７８３号に関する。
【０００７】
本出願は、本出願の譲受人に譲渡される、２００２年１１月２５日付けの「通信装置内の動作状態間で遷移を促進するための方法」（ＭＥＴＨＯＤ  ＦＯＲ  ＥＸＰＥＤＩＴＩＮＧ  ＴＲＡＮＳＩＴＩＯＮＳ  ＢＥＴＷＥＥＮ  ＳＴＡＴＥＳ  ＯＦ  ＯＰＥＲＡＴＩＯＮ  ＩＮ  ＣＯＭＭＵＮＩＣＡＴＩＯＮＳ  ＥＱＵＩＰＭＥＮＴ）という名称の同時係属出願番号第１０／３０３２５５号に関する。
【発明の開示】
【発明が解決しようとする課題】
【０００８】
しかし、上記の方法では速度が比較的遅い場合がある。何故なら、最初に発呼移動局（
ＭＳ）に対してトラヒック・チャネル（ＴＣＨ）を割り当てた後、発呼側のＰＴＴコール制御情報が送信可能となる前に、データ接続を確立しなければならないからである。同様に、呼出し相手のＭＳは、最初にページングを受け、ＴＣＨの割り当てを受け、次にＭＳがその相手方のＰＴＴコール制御情報を送信することができるようになるか、発呼側コール制御情報を受信することができるようになる前に、データ接続を確立しなければならない。データ接続が確立した後でセッション確立メッセージが送信される上記の方法の場合、ＰＴＴコール設定時間が約１０〜１５秒になる場合がある。多くのユーザは、ＰＴＴなどのサービスのためのこのような待ち時間には我慢できない。それ故、ＰＴＴコール設定の遅延を相当に短縮可能な方法および装置があることが非常に望ましい。
【課題を解決するための手段】
【０００９】
ＰＴＴコール設定の遅延を相当に短縮するためのニーズを解決するいくつかの実施形態について以下に説明する。ＩＳ−２０００再接続メッセージおよびＩＳ−２０００発呼メッセージなどのチャネル割当て要求メッセージングの修正についても説明する。さらに、共通制御チャネル信号方式の使用、ページ・レスポンス・メッセージングへの変更、およびＡ９ショート・データ配信メッセージングの新しい使用についても説明する。これらのプロトコルの変更の中のいくつかのまたはすべてを内蔵する実施形態は、ＩＳ−２０００システム内に現在存在するようなＰＴＴのエンドツーエンド・コール設定時間を短縮することができる。一例を挙げて説明すると、本発明のいくつかの実施形態は、コール設定時間を１０〜１５秒から３秒以下に短縮することができる。
【発明を実施するための最良の形態】
【００１０】
図１〜図４を参照すれば、開示の実施形態をより明確に理解することができる。図１は、本発明の複数の実施形態による移動通信システム１００のブロック図である。通信システム１００は、周知の符号分割多元接続（ＣＤＭＡ）システム、特に本発明を実施するために適切に修正した、米国電気通信工業会／米国電子工業会（ＴＩＡ／ＥＩＡ）規格、ＩＳ−２０００およびＩＳ−２００１をベースとするｃｄｍａ２０００システムである。本発明の他の実施形態は、ＩＳ−２０００およびＩＳ−２００１に十分類似している他の技術を使用する通信システムで実施することができる。
【００１１】
当業者であれば、図１が、システム１００が動作するために必要なネットワーク装置のすべてを示すものではなくて、本発明の実施形態の説明に特に関連するこれらのシステムの構成要素および論理エンティティのみを示すことを理解することができるだろう。より詳細に説明すると、システム１００のネットワーク装置は、基地局（ＢＳ）１２１，１２２、移動交換センタ（ＭＳＣ）１７１，１７２、パケット制御機能（ＰＣＦ）１３１，１３２、パケット  データ  サービング  ノード（ＰＤＳＮ）１４１，１４２、インターネット・プロトコル（ＩＰ）ネットワーク１５１、およびＰＴＴサーバ１６１などの構成要素を備える。通常、ＢＳ、ＭＳＣ、ＰＣＦ，ＰＤＳＮ、ＩＰネットワークおよびＰＴＴサーバは、当業者にとって周知のものである。例えば、ＢＳが、基地局コントローラ（ＢＳＣ）および基地局トランシーバ・システム（ＢＴＳ）のような構成要素を備えることは周知である。図１は、ＢＳＣもＢＴＳも詳細に示していない。
【００１２】
代わりに、図１の場合、ＢＳ１２１，１２２は、それぞれ、コントローラ１２５，１２６、およびトランシーバ１２７，１２８を備える。通常、ＢＳコントローラおよびＢＳトランシーバなどの構成要素は周知のものである。例えば、ＢＳコントローラが、マイクロプロセッサ、マイクロコントローラ、メモリ素子、および／または論理回路のような、しかし、これらに限定されない基本的な構成要素を備えていることは周知である。このようなＢＳ構成要素は、通常、高水準設計言語または説明により、コンピュータ命令により、メッセージングの流れ図により、および／または論理流れ図により記述された、アルゴリズムおよび／またはプロトコルを実施することができる。それ故、アルゴリズム、論理の
流れ、メッセージングの流れ、および／またはプロトコル仕様が分かれば、当業者であれば、所与のロジックを実行するＢＳを実施するために使用可能な多くの設計および開発技術に想到する。
【００１３】
従って、ＢＳ１２１，１２２は、本明細書の説明により本発明の複数の実施形態を実施するように適合された周知のＢＳである。さらに、コントローラ１２５，１２６およびトランシーバ１２７，１２８は、それぞれＢＳＣおよびＢＴＳに正確に対応するためのものではない。それどころか、コントローラ１２５，１２６およびトランシーバ１２７，１２８は、それぞれ、おそらく一緒に位置していない別々の物理的構成要素にわたって拡張することができるデバイスである。
【００１４】
ＢＳ１２１，１２２は、リモート・ユニット１０１，１０２と通信するためのチャネル１１１〜１１４を備えるエアインタフェースを使用する。ＩＳ−２０００という用語は、移動局（ＭＳ）としてのリモート・ユニットを意味する。しかし、リモート・ユニットは、必ずしも移動性の装置、即ち移動可能な装置でなくてもよい。リモート・ユニット／ＭＳプラットフォームには、移動電話、コンピュータ、携帯情報端末、ゲーム・デバイス等のデバイスが含まれることは当業者にとって周知である。より詳細に説明すると、ＭＳ１０１，１０２は、それぞれ、プロセッサ１０５，１０６、トランシーバ１０７，１０８、キーパッド（図示せず）、スピーカ（図示せず）、マイクロホン（図示せず）、およびディスプレイ（図示せず）を備える。ＭＳで使用されるプロセッサ、トランシーバ、キーパッド、スピーカ、マイクロホン、およびディスプレイは、当業者にとって周知である。
【００１５】
例えば、ＭＳプロセッサが、これらに限定されないが、マイクロプロセッサ、デジタル信号プロセッサ（ＤＳＰ）、マイクロコントローラ、メモリ素子、および／または論理回路等の基本構成要素を備えていることは周知である。このようなＭＳ構成要素は、通常、高水準設計言語または説明により、コンピュータ命令により、メッセージングの流れ図により、および／または論理流れ図により記述されたアルゴリズムおよび／またはプロトコルを実施することができる。それ故、アルゴリズム、論理の流れ、メッセージングの流れ、および／またはプロトコル仕様が分かれば、当業者であれば、所与のロジックを実行するＢＳを実施するために使用することができる多くの設計および開発技術を想到する。従ってＭＳ１０１，１０２は、本明細書内の説明により、本発明の複数の実施形態を実施するように適合された周知のＭＳである。
【００１６】
本発明による実施形態における操作は、概ね下記のように行われる。図２，３は、本発明の複数の実施形態による、ＰＴＴコールのためのコール設定メッセージングを示すメッセージングの流れ図２００，３００である。ＭＳユーザがＰＴＴボタンを押した場合など、ＭＳ１０１のプロセッサ１０５がユーザのＰＴＴ要求表示を検出した場合には、プロセッサ１０５は、トランシーバ１０７および、エアインタフェース・リソース１１１として一般的に示すＣＤＭＡ共通制御チャネルを介して、ＢＳ１２１にＰＴＴ接続要求情報を送信する。ＩＳ−２０００チャネル１１１，１１２は、それぞれ、同報通信チャネル、ページング・チャネル、アクセス・チャネル、および共通制御チャネルなどの種々の周知のトラヒックの大小に関わらない種類のチャネルを有する。ＩＳ−２０００チャネル１１３，１４４は、それぞれ、ユーザ・サービスをサポートするために、動的に割り当てられ、割当て解除される専用トラヒック・チャネルを備える。
【００１７】
ＰＴＴ接続要求情報は、発呼者ユニット情報、ＰＴＴサーバ情報、呼タイプ情報、およびＰＴＴ目標情報などの情報を含むことが可能である。第１の実施形態の場合には、発呼者ユニット情報は、ＭＳ１０１のＩＰアドレスを含み、ＰＴＴサーバ情報は、ＰＴＴサーバ１６１のＩＰアドレスを含み、ＰＴＴ目標情報は（ＰＴＴユニットまたはＰＴＴグループを識別する）ＰＴＴ目標アドレスを含み、および呼タイプ情報は、バージイン（目標移
動体のところでユーザが介入しなくても、オーディオが演奏をスタートすることを示す）、またはインバイテド（目標移動体のところでオーディオ演奏を行う前に、目標ユーザにその呼を受け入れるかどうかを尋ねることを示す）のような呼タイプを表示する。他の実施形態の場合には、ＩＰアドレスおよびその他のものに代わりにまたは追加として、他のアドレス指定／識別子スキームを使用することができ、または追加の呼タイプを内蔵させることができる。また、ＰＴＴ接続要求情報は、本明細書に記載する情報のサブセットだけを含むことができるし、および／またはＰＴＴコール制御または設定に関連する追加情報を含むことができる。
【００１８】
第１の実施形態の場合には、プロセッサ１０５は、チャネル割当て要求によりＰＴＴ接続要求情報を送信する。チャネル割当て要求は、ＩＳ−２０００再接続メッセージまたはデータ・バースト・メッセージ（ＤＢＭ）部分を内蔵するように拡張したＩＳ−２０００発呼メッセージの形態をとることができる。ＰＴＴ接続要求情報は、このＤＢＭ部分に内蔵されている。それ故、修正したＩＳ−２０００メッセージは、再接続メッセージ２０１で示すようになる。しかし、他の実施形態の場合には、ＭＳは、複数のメッセージによりチャネル割当て要求およびＰＴＴ接続要求情報を送ることができる。例えば、ＭＳは、ＤＢＭおよびチャネル割当て要求を別々に送ることができ、そうすることにより現在のＩＳ−２０００チャネル割当て要求メッセージングを修正しなくてもすむ。
【００１９】
当業者であれば、もちろん、多くの方法により、通常、チャネル割当て要求メッセージにより、追加情報を送信可能であることを理解することができるだろう。図４は、本発明の複数の実施形態により、現在のメッセージングに追加するフィールドの例示としてのビット定義を示す表４００である。ＩＳ−２０００再接続メッセージに追加される表４００のフィールドについては、チャネル割当て要求でＰＴＴ接続要求情報の送信をサポートすることができる修正したメッセージの例として以下に詳細に説明する。
【００２０】
節および表の参照は、Ｃ．Ｐ０００５−Ｄ／ＴＩＡ−２０００．５−Ｄ（３ＧＰＰ２参照／ＴＩＡ参照）に対するものである。表内の変更は、節２．７．１．３．２．１５が定義している再接続メッセージに対するものである。
【００２１】
「ＳＤＢ＿ＩＮＣＬ」とは、インジケータを含むデータ・バースト・メッセージである。
Ｐ＿ＲＥＶ＿ＩＮ＿ＵＳＥが、１１より少ない場合には、移動局は、このフィールドを省略しなければならない。そうでない場合には、移動局は、このフィールドを含んでいて、下記のように設定しなければならない。
【００２２】
このメッセージが、データ・バースト・メッセージを含んでいる場合には、移動局は、このフィールドを「１」に設定しなければならない。そうでない場合には、移動局は、このフィールドを「０」に設定しなければならない。
【００２３】
「ＭＳＧ＿ＮＵＭＢＥＲ」とは、データ・バースト・ストリーム内のメッセージ番号である。
移動局は、このフィールドをデータ・バースト・ストリーム内のこのメッセージの番号に設定しなければならない。
【００２４】
「ＢＵＲＳＴ＿ＴＹＰＥ」とは、データ・バースト・タイプである。
移動局は、このフィールドの値を、「ＴＳＢ５８−Ｂ、１９９９年１２月のＴＩＡ／ＥＩＡ広帯域スペクトル拡張規格に対するパラメータ値割当ての管理」（Ａｄｍｉｎｉｓｔｒａｔｉｏｎ  ｏｆ  Ｐａｒａｍｅｔｅｒ  Ｖａｌｕｅ  Ａｓｓｉｇｎｍｅｎｔｓ  ｆｏｒ  ＴＩＡ／ＥＩＡ  Ｗｉｄｅｂａｎｄ  Ｓｐｒｅａｄ  Ｓｐｅｃｔｒｕｍ  Ｓｔａｎｄ
ａｒｄｓ）に定義するこのデータ・バーストのタイプに設定しなければならない。移動局が、このフィールドを「１１１１１０」に設定した場合には、このメッセージの最初の２つのＣＨＡＲｉフィールドを、下記のＣＨＡＲｉ定義内に記載するＥＸＴＥＮＤＥＤ＿ＢＵＲＳＴ＿ＴＹＰＥ＿ＩＮＴＥＲＮＡＴＩＯＮＡＬに設定しなければならない。移動局がこのフィールドを「１１１１１１」に設定した場合には、移動局は、このメッセージの最初の２つのＣＨＡＲｉフィールドを、下記のＣＨＡＲｉの定義内に記載するように、ＥＸＴＥＮＤＥＤ＿ＢＵＲＳＴ＿ＴＹＰＥに設定しなければならない。
【００２５】
「ＮＵＭ＿ＭＳＧＳ」とは、データ・バースト・ストリーム内のメッセージ番号である。
移動局は、このフィールドをこのデータ・バースト・ストリーム内のメッセージ番号に設定しなければならない。
【００２６】
「ＮＵＭ＿ＦＩＥＬＤＳ」とは、このメッセージ内の文字数である。
移動局は、このフィールドをこのメッセージが内蔵しているＣＨＡＲｉフィールドの番号に設定しなければならない。
【００２７】
「ＣＨＡＲｉ」とは、文字をいう。
移動局は、このフィールドのＮＵＭ＿ＦＩＥＬＤＳの発生を含んでいなければならない。移動局は、これらのフィールドをデータ・バースト・ストリームの対応するオクテットに設定しなければならない。
【００２８】
このメッセージのＢＵＲＳＴ＿ＴＹＰＥフィールドが、「１１１１１０」に等しい場合には、最初の２つのＣＨＡＲｉオクテットは、メッセージング拡張４００内に示すものに従ってコード化される１６ビットのＥＸＴＥＮＤＥＤ＿ＢＵＲＳＴ＿ＴＹＰＥ＿ＩＮＴＥＲＮＡＴＩＯＮＡＬフィールドを表すものでなければならない。このフィールドの最初の１０ビットは、移動国コード（ＭＣＣ）の２進マッピングを含む。ＭＣＣのコード化は、２．３．１．３節に規定するように行わなければならない。ＥＸＴＥＮＤＥＤ＿ＢＵＲＳＴ＿ＴＹＰＥ＿ＩＮＴＥＲＮＡＴＩＯＮＡＬフィールドの残りの６ビットは、ＣＯＵＮＴＲＹ＿ＢＵＲＳＴ＿ＴＹＰＥを指定しなければならない。移動局は、ＣＯＵＮＴＲＹ＿ＢＵＲＳＴ＿ＴＹＰＥの値を、このデータ・バースト・タイプが使用される国が管理する規格が定義するこのデータ・バーストのタイプにより設定しなければならない。
【００２９】
このメッセージのＢＵＲＳＴ＿ＴＹＰＥフィールドが「１１１１１１」に等しい場合には、最初の２つのＣＨＡＲｉオクテットは、メッセージング拡張４００内に示す１つの１６ビットのＥＸＴＥＮＤＥＤ＿ＢＵＲＳＴ＿ＴＹＰＥフィールドを表すものでなければならない。移動局は、このＥＸＴＥＮＤＥＤ＿ＢＵＲＳＴ＿ＴＹＰＥの値を、「ＴＳＢ５８−Ｂ、１９９９年１２月のＴＩＡ／ＥＩＡ広帯域スペクトル拡張規格に対するパラメータ値割当ての管理」（Ａｄｍｉｎｉｓｔｒａｔｉｏｎ  ｏｆ  Ｐａｒａｍｅｔｅｒ  Ｖａｌｕｅ  Ａｓｓｉｇｎｍｅｎｔｓ  ｆｏｒ  ＴＩＡ／ＥＩＡ  Ｗｉｄｅｂａｎｄ  Ｓｐｒｅａｄ  Ｓｐｅｃｔｒｕｍ  Ｓｔａｎｄａｒｄｓ）に定義するこのデータ・バーストのタイプにより設定しなければならない。
【００３０】
第１の実施形態の場合には、ＢＳ１２１のコントローラ１２５は、トランシーバ１２７を介して、ＰＴＴ接続要求情報およびチャネル割当て要求（すなわち、再接続メッセージ２０１）を受信する。現在のＩＳ−２０００システムの場合には、ＭＳおよびＢＳ間にＴＣＨが確立した後まで、ＭＳはコール制御情報を送信しなかった。一方、第１の実施形態の場合には、このようなコール制御情報は、共通の制御チャネルを介して、チャネル割当て要求と一緒に送られる。コール設定シーケンスの早期にこの情報を送信すれば、ユーザが経験するＰＴＴコール設定の全遅延を短縮することができる。このことは以下の説明を
読めばさらにはっきりする。
【００３１】
コール設定の早期にＰＴＴ情報を受信した後で、ＢＳ１２１のコントローラ１２５は、Ａ９ショート・データ配信メッセージ２０３により、ＰＣＦ１３１にＰＴＴ接続要求情報を送信する。現在のＩＳ−２０００システムの場合には、コール制御情報は、Ａ８ベアラ・データとして送信された。しかし、時間を短縮するために、ＢＳ１２１は、ＰＣＦ１３１との対応するＡ９／Ａ８確立を待たないで、Ａ９／Ａ８が確立する前に、Ａ９ショート・データ配信機構によりＰＴＴ接続要求情報を送信する。ＰＴＴ接続要求情報およびチャネル割当て要求の両方を受信した後で、ＢＳ１２１は、ＴＣＨ１１３により示すように、同時にＰＴＴ接続要求情報をＰＣＦ１３１に送信し、ＭＳ１０１にトラヒック・チャネルを割当てる。しかし、ＰＴＴコール設定遅延を短縮することが重要なので、ＢＳ１２１は、ＰＣＦ１３１へのＰＴＴ情報の送信を優先して、その後でＴＣＨ１１３２を割り当てることができる。
【００３２】
ＰＣＦ１３１は、サービス提供ＰＤＳＮ１４１を介して、ＰＴＴサーバ１６１（おそらく、情報自身内に表示してある）にＰＴＴ接続要求情報を送信する。ＰＴＴサーバ１６１は、次に、ＰＴＴ接続要求情報により、要求したＰＴＴサービスと協力することができる。ＰＴＴサービスは、ＰＴＴユニットまたはＰＴＴグループを目標にすることができる。図１〜図３は、ＰＴＴユニットまたは１台のＭＳが目標とされ、またこの目標のＭＳ（ＭＳ１０２）が異なるＢＳ、ＰＣＦおよびＰＤＳＮによりサービスを受ける場合を示す。容易に理解されるように、これらは説明のためおよび例示のためのものである。これらは本発明を限定するものではない。何故なら、これらの例の基本となる概念および機構は、直接言及しない多くの他のケースおよびシナリオに適用することができるからである。
【００３３】
ＰＴＴサーバ１６１は、目標ＭＳ１０２とのデータ接続を確立するために、ＰＴＴ接続要求情報および要求を（ＰＤＳＮ１４２を介して）ＰＣＦ１３２に送信する。今度は、ＰＣＦ１３２が、ＢＳ１２２（すなわち、トランシーバ１２８を介してコントローラ１２６）に、データ接続が要求されていることを示す（例えば、サービス・オプション＝３３）ページング・チャネル１１２によりＭＳ１０２をページングさせるメッセージングをトリガする。ＭＳ１０２（すなわち、トランシーバ１０８を介してプロセッサ１０６）がページを受信する。しかし、第１の実施形態の場合には、ＭＳ１０２は、現在のシステムでのようにＩＳ−２０００ページ・レスポンスにより応答しない。それどころか、ＭＳ１０２は、データ接続要求に基づいて、ＰＴＴコールが設定中であり、それ故、ＩＳ−２０００ページ・レスポンスの代わりに、ＣＤＭＡ制御チャネル１１２を介して、ＰＴＴ接続受諾情報を送信することを予期する。第１の実施形態の場合および上記修正した再接続メッセージ２０１のところで説明したように、ＭＳ１０２は、修正した再接続メッセージ３０１（例えば、ＤＢＭ部分内）によりＰＴＴ接続受諾情報を送信する。しかし、他の実施形態の場合には、ＤＢＭおよび再接続メッセージは、ＰＴＴ接続受諾情報を送るために別々に送信することができる。
【００３４】
ＰＴＴ接続要求情報と同じように、ＰＴＴ接続受諾情報は、ＰＴＴサーバ情報およびＰＴＴ目標情報のような情報を含むことができる。第１の実施形態の場合には、ＰＴＴサーバ情報は、ＰＴＴサーバ１６１のＩＰアドレスを含み、ＰＴＴ目標情報は、ＭＳ１０２のＩＰアドレスを含む。他の実施形態の場合には、ＩＰアドレスの代わりに、またはこれに追加して他のアドレス指定／識別子スキームを使用することができる。また、ＰＴＴ接続受諾情報は、本明細書に記載する情報のサブセットだけを含むこともできるし、および／またはＰＴＴコール制御または設定に関連する追加の情報を含むことも可能である。
【００３５】
第１の実施形態の場合には、ＢＳ１２２のコントローラ１２６は、トランシーバ１２８を介して、ＰＴＴ接続受諾情報およびチャネル割当て要求（すなわち、再接続メッセージ
３０１）を受信する。すでに説明したように、現在のＩＳ−２０００システムの場合には、コール制御情報は、ＭＳとＢＳとの間にＴＣＨが確立した後まで、ＭＳはコール制御情報を送信しなかった。それ故、チャネル割当てメッセージング、サービス接続メッセージングおよびＴＣＨ取得が後に続くＩＳ−２０００ページ・レスポンスは、すべてコール制御情報の送信を進める。代わりに、第１の実施形態の場合には、このようなコール制御情報は、共通の制御チャネルを介して、ページ・レスポンス／チャネル割当て要求として効果的に送られる。この場合も、コール設定シーケンスの早期にこの情報を送信すると、ユーザが経験するＰＴＴコール設定の全遅延を短縮することができる。
【００３６】
コール設定内の早期にＰＴＴ情報を受信した後で、ＢＳ１２２のコントローラ１２６は、Ａ９ショート・データ配信メッセージ３０３により、ＰＣＦ１３２にＰＴＴ接続受諾情報を送信する。すでに説明したように、現在のＩＳ−２０００システムの場合には、コール制御情報は、Ａ８ベアラ・データとして送信された。しかし、時間を短縮するために、ＢＳ１２２は、ＰＣＦ１３２との対応するＡ９／Ａ８確立を待たないで、Ａ９／Ａ８が確立する前に、Ａ９ショート・データ配信機構によりＰＴＴ接続受諾情報を送信する。ＰＴＴ接続受諾情報およびページ・レスポンス／チャネル割当て要求の両方を受信した後で、ＢＳ１２２は、ＴＣＨ１１４により示すように、同時にＰＴＴ接続受諾情報をＰＣＦ１３２に送信し、ＭＳ１０２にトラヒック・チャネルを割当てる。しかし、ＰＴＴコール設定遅延を短縮するのが重要なので、ＢＳ１２２は、ＰＣＦ１３２へのＰＴＴ情報の送信を優先して、その後でＴＣＨ１１４を割り当てることができる。
【００３７】
ＰＣＦ１３２は、サービス提供ＰＤＳＮ１４２を介して、ＰＴＴサーバ１６１にＰＴＴ接続受諾情報を送信する。ＰＴＴサーバ１６１は、次に、ＰＴＴ接続受諾情報（またはＭＳ１０１が必要とする情報のサブセットだけ）をＰＤＳＮ１４１に送信する。すでに説明したように、ＢＳ１２１，ＢＳ１２２は、それぞれ、ＭＳ１０１，１０２にＴＣＨ１１３，１１４を割り当てる。それ故、ＭＳ１０１，１０２（すなわち、トランシーバ１０７，１０８を介しての各プロセッサ１０５，１０６）は、チャネル割当てメッセージングを受信し、そのＴＣＨを入手する。第１の実施形態の場合には、その各ＴＣＨを入手した後で、各ＭＳは、各ＭＳの各ＴＣＨを介して、他のＭＳに関連するＰＴＴ接続情報を受信する。それ故、ＭＳ１０１は、ＰＴＴサーバ１６１が転送したＰＴＴ接続受諾情報を含むメッセージング２０５を受信し、同様に、ＭＳ１０２は、ＰＴＴサーバ１６１が転送したＰＴＴ接続要求情報を含むメッセージング３０５を受信する。それ故、その各ＴＣＨを使用するＭＳ１０１，１０２は、ＰＴＴ音声情報を（例えば、リアルタイム・プロトコルにより）交換することができる能動パケット・データ・セッションを確立する。すなわち、上記実施形態を使用すると、ＭＳユーザは、ＰＴＴサービスにより相互に話をすることができ、設定の遅延が短縮する。
【００３８】
上記説明においては、特定の実施形態を参照しながら本発明を説明してきた。しかし、通常の当業者であれば、添付の特許請求の範囲に記載する本発明の精神および範囲から逸脱することなしに、種々の修正および変更を行うことができることを理解することができるだろう。それ故、本明細書および図面は、本発明を制限するものではなく、例示としてのものであると見なすべきである。このようなすべての修正は、本発明の範囲内に含まれる。さらに、通常の当業者であれば、図面中の要素は、簡単にはっきりと示してあること、および必ずしも正確な縮尺になっていないことを理解することができるだろう。例えば、本発明の種々の実施形態の理解を助けるために、図面中のある要素の寸法は、他の要素に対して誇張してある場合がある。
【００３９】
長所、他の利点および種々の問題に対する解決方法を、本発明の特定の実施形態を参照しながら説明してきた。しかし、長所および利点および種々の問題に対する解決方法、およびこのような長所、利点または解決方法をもたらすまたは与える、またはこのような長
所、利点または解決方法をもっと優れたものにすることができる任意の要素を、任意のまたはすべての特許請求の範囲の、不可欠で、必要なまたは本質的な機能または要素であると解釈すべきではない。本明細書内および添付の特許請求の範囲内で使用する場合、「備える」「備えている」またはその任意の他の派生語は、プロセス、方法、製造物品または要素のリストを含む装置が、リスト内のこれらの要素だけを含んでいるのではなくて、リストに明示されていない他の要素、またはこのようなプロセス、方法、製造物品または装置に固有の他の要素を含むことができるように、非排他的包括を意味する。
【００４０】
本明細書で使用する場合、（ａ）または（ａｎ）は、１つまたは２つ以上と定義される。本明細書で使用する場合、複数のという用語は、２つまたは３つ以上と定義される。本明細書で使用する場合、他のという用語は、少なくとも２つまたはそれ以上と定義される。本明細書で使用する場合、含むおよび／または有するという用語は、備える（すなわち、オープン言語）と定義される。本明細書で使用する場合、結合しているという用語は、接続していると定義されるが、必ずしも直接結合でなくても、機械的結合でなくてもよい。本明細書で使用する場合、プログラム、コンピュータ・プログラムおよびコンピュータ命令という用語は、コンピュータ・システム上で実行するために設計された一連の命令と定義される。この一連の命令は、サブルーチン、関数、手順、オブジェクト方法、オブジェクト実施、実行可能なアプリケーション、アプレット、サーブレット、共有ライブラリ／動的負荷ライブラリ、ソース・コード、オブジェクト・コードおよび／またはアセンブリ・コードを含むことができるが、含むことができるものはこれらに限定されない。
【図面の簡単な説明】
【００４１】
【図１】本発明の複数の実施形態による移動通信システムのブロック図。
【図２】本発明の複数の実施形態によるＰＴＴコールのための発呼者側のコール設定メッセージングを示す流れ図。
【図３】本発明の複数の実施形態によるＰＴＴコールのための相手側のコール設定メッセージングを示す流れ図。
【図４】本発明の複数の実施形態による現在のメッセージングに追加するフィールドの例示としてのビットの定義を示す表。
【図１】
2005176359.tif 000003
【図２】
2005176359.tif 000004
【図３】
2005176359.tif 000005
【図４】
2005176359.tif 000006
【外国語明細書】
2005176359.tif 000007
2005176359.tif 000008
2005176359.tif 000009
2005176359.tif 000010
2005176359.tif 000011
2005176359.tif 000012
2005176359.tif 000013
2005176359.tif 000014
2005176359.tif 000015
2005176359.tif 000016
2005176359.tif 000017
2005176359.tif 000018
2005176359.tif 000019
2005176359.tif 000020
2005176359.tif 000021
2005176359.tif 000022
2005176359.tif 000023
2005176359.tif 000024
2005176359.tif 000025
2005176359.tif 000026
2005176359.tif 000027